(57)【要約】【課題】高輝度化、高階調化が可能なプラズマディスプレイパネルの駆動方法を実現することを目的とする。【解決手段】行電極を複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、ブロック間でセットアップ動作を時間的にずらして実行する区間と、あるブロックのセットアップ動作と他のブロックのセットアップ動作とを重ねて実行する区間との両方を有することを特徴とするプラズマディスプレイパネルの駆動方法である。【選択図】図７
2005300956.tif 000002
【特許請求の範囲】
【請求項１】
行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極は複数本まとめた複数のブロック単位に分割し、各ブロックにおいては、１フィールド期間を複数のサブフィールドに分割し、サブフィールド期間ではセットアップ動作とアドレス動作と維持動作とを分離して実行し且つアドレス動作が他のブロックの維持動作とを重なるように実行し、ブロックのセットアップ動作と他のブロックのセットアップ動作とを時間的にずらして実行する区間と、ブロックのセットアップ動作と他のブロックのセットアップ動作とを重ねて実行する区間との両方を有することを特徴とするプラズマディスプレイパネルの駆動方法。
【請求項２】
維持動作を行っている維持パルス存在期間よりセットアップ動作を行っているセットアップ期間の方が長いサブフィールドでは、ブロックのセットアップ動作と他のブロックのセットアップ動作とを重ねて実行することを特徴とする請求項１に記載のプラズマディスプレイパネルの駆動方法。
【請求項３】
アドレス動作を行っているアドレス期間の終了直後に維持動作を開始することを特徴とする請求項１に記載のプラズマディスプレイパネルの駆動方法。
【発明の詳細な説明】
【技術分野】
【０００１】
本発明は、放電を制御することにより画像を表示するプラズマディスプレイパネルの駆動方法に関するものである。
【背景技術】
【０００２】
プラズマディスプレイパネル（ＰＤＰ）は、ガス放電に伴う発光及び紫外線による蛍光体の励起発光を利用した大画面化・薄型化が可能な表示パネルであり、行方向に延び表示ラインを形成する複数の行電極と、行電極に交差して配列された複数の列電極と、列電極と行電極とが交差する位置においてそれぞれ発光単位となる放電セルとを設けた、いわゆる３電極放電構造の面放電方式のＡＣ型が主である（例えば、非特許文献１参照）。
【非特許文献１】内池平樹、御子柴茂生共著、「プラズマディスプレイのすべて」（株）工業調査会、１９９７年５月１日、ｐ７９−ｐ８０、ｐ１５３−１５４
【発明の開示】
【発明が解決しようとする課題】
【０００３】
本発明は、高輝度化、高階調化が可能なプラズマディスプレイパネルの駆動方法を実現することを目的とする。
【課題を解決するための手段】
【０００４】
上記目的を実現するために本発明のプラズマディスプレイパネルの駆動方法は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極は複数本まとめた複数のブロック単位に分割し、各ブロックにおいては、１フィールド期間を複数のサブフィールドに分割し、サブフィールド期間ではセットアップ動作とアドレス動作と維持動作とを分離して実行し且つアドレス動作が他のブロックの維持動作とを重なるように実行し、ブロックのセットアップ動作と他のブロックのセットアップ動作とを時間的にずらして実行する区間と、ブロックのセットアップ動作と他のブロックのセットアップ動作とを重ねて実行する区間との両方を有することを特徴とするものである。
【発明の効果】
【０００５】
本発明のプラズマディスプレイパネルの駆動方法によれば、サブフィールド数を増加させることができ、もって高輝度化、高階調化が可能となる。
【発明を実施するための最良の形態】
【０００６】
すなわち、本発明の請求項１に記載の発明は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極は複数本まとめた複数のブロック単位に分割し、各ブロックにおいては、１フィールド期間を複数のサブフィールドに分割し、サブフィールド期間ではセットアップ動作とアドレス動作と維持動作とを分離して実行し且つアドレス動作が他のブロックの維持動作とを重なるように実行し、ブロックのセットアップ動作と他のブロックのセットアップ動作とを時間的にずらして実行する区間と、ブロックのセットアップ動作と他のブロックのセットアップ動作とを重ねて実行する区間との両方を有することを特徴とするプラズマディスプレイパネルの駆動方法である。
【０００７】
また、請求項２に記載の発明は、維持動作を行っている維持期間よりセットアップ動作を行っているセットアップ期間の方が長いサブフィールドでは、ブロックのセットアップ動作と他のブロックのセットアップ動作とを重ねて実行することを特徴とする請求項１に記載のプラズマディスプレイパネルの駆動方法である。
【０００８】
また、請求項３に記載の発明は、アドレス動作を行っているアドレス期間の終了直後に維持動作を開始することを特徴とする請求項１に記載のプラズマディスプレイパネルの駆動方法である。
【０００９】
以下、本発明の実施の形態について図面を参照しながら説明する。
【００１０】
（実施の形態１）
図１は、本発明の一実施の形態によるＰＤＰの駆動方法により駆動されるＰＤＰの概略構成を示す断面斜視図である。
【００１１】
ＰＤＰ１の前面板２は、前面側のガラスのような透明且つ絶縁性の基板３の一主面上に形成した、スキャン電極４とサステイン電極５とからなり行方向に延び表示ラインを形成する行電極６と、その行電極６を覆う誘電体層７と、さらにその誘電体層７を覆う、例えばＭｇＯによる保護層８とを有する構造である。スキャン電極４とサステイン電極５は、電気抵抗の低減を目的として、透明電極４ａ、５ａに金属材料からなるバス電極４ｂ、５ｂを積層した構造としている。
【００１２】
また、背面板９は、背面側のガラスのような絶縁性の基板１０の一主面上に形成した、列電極であるアドレス電極１１と、このアドレス電極１１を覆う誘電体層１２と、誘電体層１２上のアドレス電極１１の間に相当する場所に位置する隔壁１３と、隔壁１３間に、赤色の蛍光体層１４Ｒ、緑色の蛍光体層１４Ｇ、青色の蛍光体層１４Ｂからなる蛍光体層１４を有する構造である。
【００１３】
そして、前面板２と背面板９とは、隔壁１３を挟んで、行電極６とアドレス電極１１とが直交するように対向し、画像表示領域の外の周囲を封着部材により封止した構成であり、前面板２と背面板９との間に形成された放電空間１５には、例えばＮｅ−Ｘｅ５％の放電ガスが６６．５ｋＰａ（５００Ｔｏｒｒ）の圧力で封入されている。
【００１４】
そして、放電空間１５の行電極６とアドレス電極１１との交差部が発光単位となる放電空間である放電セル１６として動作する。
【００１５】
図２は、放電セル１６の概略構成を模式的に示す断面図である。
【００１６】
放電セル１６においては、前面板２の基板３上には、スキャン電極４とサステイン電極５とが平行して形成されることで行電極６を構成し、そしてこの行電極６は誘電体層７及び保護層８で覆われている。
【００１７】
また、基板３に対して隔壁１３を挟んで対向配置される背面板９の基板１０上には、列電極であるアドレス電極１１が行電極６に対し直交するように形成され、その上には誘電体層１２が設けられている。さらに誘電体層１２の上には蛍光体層１４が塗布されている。
【００１８】
この放電セル１６において、スキャン電極４とアドレス電極１１との間に放電開始電圧Ｖｆよりも高いパルス電圧（書き込みパルス）を印加すると放電が発生する。その時、正電圧を印加しているアドレス電極１１上の蛍光体層１４の表面には負電荷が蓄積され、負電圧を印加しているスキャン電極４側の保護層８付近の表面には正電荷が蓄積される。また、同時に正電圧を印加しているサステイン電極５側の保護層８付近の壁面には、アドレス電極１１と同じく負電荷が蓄積する。
【００１９】
ここで、この保護層８、蛍光体層１４のそれぞれの表面に蓄積された電荷を壁電荷といい、この壁電荷によって誘起された電圧を壁電圧Ｖｗという。書き込みパルスを印加することで放電を発生させ壁電荷を生成させることをアドレス放電といい、ある単位ライン分のアドレス放電する期間をアドレス期間という。
【００２０】
スキャン電極４側に正電荷、サステイン電極５及びアドレス電極１１側に負電荷を蓄積させた状態で、スキャン電極４とサステイン電極５間にパルス状の高電圧Ｖｉを印加すると、壁電圧Ｖｗと印加電圧Ｖｉとの和（＝セル電圧Ｖｃ）が放電開始電圧Ｖｆを超えた場合、放電が発生する。一旦、放電が開始されると、常に前放電時の電極とは正負逆極性の壁電荷が再蓄積されるので、スキャン電極４及びサステイン電極５に交互に反転する周期的パルス電圧が印加し続ける間放電は維持される。この放電を維持放電といい、維持放電している期間を維持期間と呼ぶ。
【００２１】
印加電圧Ｖｉは放電開始電圧Ｖｆよりも低く設定し、壁電圧（壁電荷）が無い場合は、セル電圧Ｖｃ＝Ｖｗ＋Ｖｉ＝Ｖｉ＜Ｖｆとなり、維持放電が発生しないようにする。このように、アドレス放電によって発生する壁電圧Ｖｗの有無により、次に続く維持放電の有無を決定されることで選択的放電が実現できる。
【００２２】
図３は本発明の一実施の形態によるＰＤＰの駆動方法を行う駆動装置の概略構成を示すブロック図であり、図４〜図７は、その駆動方法であるブロック駆動について説明するための図である。
【００２３】
図３に示すように、ＰＤＰ１を駆動する駆動装置は、アドレスドライバ１０２、２つのスキャンドライバ１３１〜１３２、２つのサステインドライバ１４１〜１４２、放電制御タイミング発生回路１０５、Ａ／Ｄコンバータ（アナログ・デジタル変換器）１０６、走査数変換部１０７およびサブフィールド変換部１０８を備える。図３において、上半分のブロックをブロックＡ、下半分のブロックをブロックＢとする。
【００２４】
Ａ／Ｄコンバータ１０６は、映像信号ＶＤをデジタルの画像データに変換し、その画像データを走査数変換部１０７に与える。走査数変換部１０７は、画像データをＰＤＰ１の画素数に応じたライン数の画像データに変換し、各ラインごとの画像データをサブフィールド変換部１０８に与える。各ラインごとの画像データは、各ラインの複数の画素にそれぞれ対応する複数の画素データからなる。サブフィールド変換部１０８は、各ラインごとの画像データの各画素データを複数のサブフィールドに対応する複数のビットに分割し、各サブフィールドごとに各画素データの各ビットをアドレスドライバ１０２にシリアルに出力する。
【００２５】
放電制御タイミング発生回路１０５は、水平同期信号Ｈおよび垂直同期信号Ｖを基準として、放電制御タイミング信号ＳＣ１〜ＳＣ２と放電制御タイミング信号ＳＵ１〜ＳＵ２を発生し、放電制御タイミング信号ＳＣ１〜ＳＣ２をスキャンドライバ１３１〜１３２にそれぞれ与え、放電制御タイミング信号ＳＵ１〜ＳＵ２をサステインドライバ１４１〜１４２にそれぞれ与える。
【００２６】
次にこのように２分割したブロックにおいて、それぞれの動作を順次行っていく。
【００２７】
図４は、図３のプラズマディスプレイ装置の各ブロックにおいて、セットアップ動作を行うセットアップ期間ＳＴ、アドレス動作を行うアドレス期間ＡＤ、および維持動作を行う維持期間ＳＵＳのタイミングを示したタイミングチャートである。図４の縦軸は各ブロックを示し、横軸は時間を示し、図３に示すブロックＡ、ブロックＢの２領域の分割に対応するものである。
【００２８】
放電タイミングは次のように制御される。まず、ブロックＡの第１サブフィールドＳＦ１でセットアップ期間ＳＴが開始される。セットアップ期間ＳＴが終了した後に、ブロックＡのアドレス期間ＡＤが開始され、ブロックＡのアドレス期間ＡＤが終了した後、ブロックＡの維持期間ＳＵＳが開始される、さらに、ブロックＡの維持期間ＳＵＳが終了した後、ブロックＡのセットアップ期間ＳＴが開始される。
【００２９】
次に、ブロックＢの動作を開始する。このとき、ブロックＡのアドレス期間ＡＤとブロックＢのセットアップ期間ＳＴとは誤発光が発生するため、重ねて実行することができない。このため、ブロックＡのアドレス期間ＡＤの終了後にブロックＢのセットアップ期間ＳＴを開始する。
【００３０】
続いてブロックＢのアドレス期間ＡＤを開始し、ブロックＢのアドレス期間ＡＤが終了した後、ブロックＢの維持期間ＳＵＳを開始する。まずは、このようにアドレス期間ＡＤとセットアップ期間ＳＴとが重ならないように駆動する。
【００３１】
次に、ブロックＡの第１サブフィールドの最終セットアップ期間に関しては、ブロックＢのアドレス期間ＡＤと重ならないように、そのアドレス期間ＡＤが終了した後であればいつでも開始することができる。図のようにブロックＢのアドレス期間ＡＤが終了した後にブロックＡのセットアップ期間ＳＴを開始する。
【００３２】
また、第１サブフィールドの維持期間ＳＵＳは、第１サブフィールドのアドレス期間が終了した時点からセットアップ期間ＳＴが始まるまでの期間をすべてあてることができる。これは、各ブロック間でスキャン電極とサステイン電極を別々に持っているため、他ブロックがセットアップおよびアドレス動作を実行していても影響されることなく維持動作を行うことができるためである。この結果、維持期間を長く確保できる。
【００３３】
また、維持パルス数が多いサブフィールドでは、セットアップまでの間隔を空けて、第１および第２サブフィールドの様に両ブロックが同時に維持期間となる区間を設けても良い。
【００３４】
すなわちブロック駆動によれば、あるブロックのアドレス期間ＡＤおよびセットアップ期間ＳＴに他ブロックの維持期間ＳＵＳを重ねて駆動することにより、各サブフィールドのセットアップ期間ＳＴとアドレス期間ＡＤ以外の時間を、全て維持期間に使用することができる。このため、維持期間を長くすることができ、輝度を向上することができる。図４では、サブフィールド数が８個の例を示したものである。
【００３５】
しかしながらここで、通常のブロック駆動では維持期間を有効に使用しておらず、したがって、サブフィールド数を増やすことに対して十分には対応できていないという状況となってしまっている。
【００３６】
すなわち、図５は、サブフィールド５のみを模式的に書いたものであるが、図４の様に、サブフィールドが増えるにつれてパルス数の重みを減らしていく（パルス数を少なくしていく）場合を例にすると、サブフィールド５ではそのパルス数はかなり減っていることになる。このときの維持期間は、他のブロックのセットアップ期間とアドレス期間を合わせた期間だけ確保されているので、その維持期間は、実際に維持発光が起こっている維持パルス存在期間と、その後の発光が起こっていない無パルス期間に分かれていることになる。この様にパルス数が少ないサブフィールドでは、維持期間として確保している期間内全てが発光しているわけではなく、無パルス期間が発生しこの期間は有効に活用されていない期間となっている。このため、サブフィールドの後半ではかなりのサブフィールドで無パルス期間が存在し維持期間を有効に使用していないという問題が発生している。この無パルス期間を有効に使用できれば、サブフィールド数をさらに増やすことが可能となる。
【００３７】
図６はサブフィールド５の両ブロックにおける各動作期間を模式的に示したものである。図６（ａ）は、ブロックＡ、Ｂの両方を抜き出したものであり、サブフィールドを構成する各動作を考える。サブフィールドの期間はアドレス期間（ＡＤ）、維持期間（ＳＵＳ）、セットアップ期間（ＳＴ）の総和であり、このとき維持期間（ＳＵＳ）はブロックＢのセットアップ期間とアドレス期間の和に等しい。従って、サブフィールド期間の総和はアドレス期間（ＡＤ）、アドレス期間（ＡＤ）、セットアップ期間（ＳＴ）、セットアップ期間（ＳＴ）の総和になる。
【００３８】
一方、図６（ｂ）は、ブロック毎に各動作を時間的にずらすブロック駆動ではなく、通常駆動であるアドレス維持分離駆動を示した模式図である。この通常駆動は、アドレス動作をブロックなどとは関係なく順次実行され、その後、全ての領域を一括して維持動作を行い、維持期間終了後に同様に一括してセットアップ動作を開始する駆動方法である。この時のサブフィールド期間を図６（ａ）で用いた各動作を用いて表すと、アドレス期間（ＡＤ）、アドレス期間（ＡＤ）、維持期間（ＳＵＳ）、セットアップ期間（ＳＴ）の総和となる。
【００３９】
ここで、図６（ａ）、（ｂ）の各駆動方法によるサブフィールド期間の長さを比較する。両者の違いは、図６（ａ）のセットアップ期間の部分を図６（ｂ）で維持期間に置き換えただけとなる。すなわち、維持期間がセットアップ期間よりも短いサブフィールドの場合は、図６（ｂ）のようにブロックに分割しない通常駆動の方がサブフィールド期間を短縮することができる。つまり、維持期間（維持パルスが存在する期間）とセットアップ期間とを比較して、その大小関係によりブロック駆動と通常駆動を切り替えれば、サブフィールドの時間幅を短くすることが可能となる。その結果、サブフィールドの数を増やすことができる。
【００４０】
図７は、本発明の一実施の形態によるＰＤＰの駆動方法におけるブロック駆動について説明するためのタイミングチャートである。図４と同様に、各ブロックにおけるセットアップ期間ＳＴ、アドレス期間ＡＤおよび維持期間ＳＵＳのタイミングを示したタイミングチャートである。
【００４１】
１フィールドにおける前半のサブフィールドでは、パルス数が多いため図４のブロック駆動タイミングと同様に、ブロックＡとブロックＢの各動作を時間的にずらして実行している。サブフィールドが増えるに従って維持パルス数が減少し、サブフィールド５で維持期間ＳＵＳ内の維持パルス存在期間が、その後のセットアップ期間ＳＴよりも短くなったとする。この時、これ以降のサブフィールド（サブフィールド６以降）では、ブロック駆動ではない通常駆動、つまりアドレス動作、維持動作、セットアップ動作をすべてのブロック一括で実行する駆動を行うものである。駆動タイミングの切り替わりであるサブフィールド５では、ブロックＡの維持期間開始とブロックＢの維持期間開始と合わせるため、ブロックＡのアドレス期間が終了した後からタイミングを調整している。
【００４２】
以上のように本発明では、維持期間内の維持パルス存在期間の時間幅に応じて駆動方法をブロック駆動と通常駆動とに切り替える動作を行っている。これによりサブフィールドの時間幅を短縮することができる。
【００４３】
この結果、図４のブロック駆動のみの駆動方法に比べ、図７のようにセットアップ期間一つ程度の時間増加だけで、サブフィールドを１つ増加させることが可能となる。つまり、サブフィールド数を増加させ表示できる階調数を増やせることができるため階調性を向上させることができる。
【００４４】
また、時間を有効に使う方法として、上記のようにサブフィールド数を増やすだけでなく、維持パルス数を増加させて輝度を向上させても良い。また、サブフィールド数や維持パルス数ではなく、アドレス時間を増加させて安定動作をねらっても良い。
【００４５】
なお、以上の説明ではブロック数を２としてサステインドライバおよびスキャンドライバを構成した例を示したが、これに限定することはなく、４分割あるいは６分割、８分割などでも同様の駆動を行うことができる。また、サブフィールド数を８ないし９としたが、これに限るものではない。
【００４６】
（実施の形態２）
図８は、本発明の一実施の形態である実施の形態２によるＰＤＰの駆動方法におけるブロック駆動について説明するためのタイミングチャートである。ここでＰＤＰの概略構成は図３に示したものと同様である。
【００４７】
ブロック駆動の基本的な動作は実施の形態１と同様であり、維持期間内の維持パルス存在期間の時間幅に応じて駆動方法をブロック駆動と通常駆動とに切り替える動作を行っている。前半のサブフィールドではブロック駆動を行って、各動作を時間的にずらして実行している。後半のサブフィールドでは、通常駆動のようにアドレスを順次実行し、セットアップもブロック一括で実行している。
【００４８】
実施の形態１と異なる部分は、後半のサブフィールドでも維持動作をブロック単位で行っており、時間的にずらして実行しているところである。維持動作は他ブロックのアドレス動作やセットアップ動作と同時に実行できるため、ブロック全てで一括動作を行わなくても良い。このため、図８のブロックＡでは、アドレス動作を終了した後すぐに維持動作を開始している。この駆動方法によれば、ブロックＢの維持動作と同時に実行する場合に比べ、アドレス動作後から維持動作開始までの時間が短いため、維持発光を安定に行うことができる。
【００４９】
以上のように、維持期間内の維持パルス存在期間の時間幅に応じて駆動方法をブロック駆動と通常駆動とに切り替える動作を行うことにより、サブフィールド数を増加させることが可能となる。さらに、維持動作をアドレス動作終了直後に実行することにより、安定に維持発光を行うことができる。その結果、高階調化に加え、安定動作を実現することができる。
【００５０】
また、時間を有効に使う方法として、上記のようにサブフィールド数を増やすだけでなく、維持パルス数を増加させて輝度を向上させても良い。また、サブフィールド数や維持パルス数ではなく、アドレス時間を増加させて安定動作をねらっても良い。
【００５１】
なお、以上の説明ではブロック数を２としてサステインドライバおよびスキャンドライバを構成した例を示したが、これに限定することはなく、４分割あるいは６分割、８分割などでも同様の駆動を行うことができる。また、サブフィールド数を８ないし９としたが、これに限るものではない。
【００５２】
（実施の形態３）
図９は、本発明の一実施の形態である実施の形態３によるＰＤＰの駆動方法におけるブロック駆動について説明するためのタイミングチャートである。ここでＰＤＰの概略構成は図３に示したものと同様である。
【００５３】
ブロック駆動の基本的な動作は実施の形態１と同様であり、維持期間内の維持パルス存在期間の時間幅に応じて駆動方法をブロック駆動と通常駆動とに切り替える動作を行っている。
【００５４】
これまでの実施の形態１および２では、維持パルス数に関して、サブフィールドが増えるにつれてパルス数の重みを減らしていく（パルス数を少なくしていく）駆動法をとっている。本実施の形態では、サブフィールドが増えるに従い維持パルス数を増加させていく場合を説明している。この場合も、ブロック駆動の駆動方法は同様で、前半のサブフィールドでは維持パルスが少ないため通常駆動を行っている。サブフィールド５以降は維持パルス存在期間の時間幅がセットアップ期間より長くなるため、ブロック間で各動作を時間的にずらして駆動している。つまり、サブフィールドの前半が通常駆動であり、後半がブロック駆動となる駆動方法である。
【００５５】
また、通常駆動とブロック駆動の切り替わりであるサブフィールド５では、それぞれの動作タイミングを調整している。具体的には、ブロックＢのアドレス期間のときにブロックＡの維持期間を重ねている。これは、サブフィールド５ではブロックＡの維持パルス存在期間がアドレス期間よりも小さいため、この維持期間内に時間的に収まるために成立するものである。これ以降はあるブロックが維持動作とセットアップ動作を行っている期間を、他方のブロックの維持期間にあてている。この時、全体で９サブフィールドまで駆動することができる。
【００５６】
以上のように、維持パルスの重みが増えていく（維持パルス数を増加させていく）駆動方法においても、維持期間内の維持パルス存在期間の時間幅に応じて駆動方法をブロック駆動と通常駆動とに切り替える動作を行うことにより、サブフィールド数を増加させることが可能となる。この結果、サブフィールド数を増加させることができ、階調性を向上させることができる。
【００５７】
また、実施の形態２で説明したように、前半の通常駆動の期間で各ブロックを一括して維持動作するのではなく、ブロックＡにおいて維持動作をアドレス動作終了直後に実行してもよい。
【００５８】
また、時間を有効に使う方法として、上記のようにサブフィールド数を増やすだけでなく、維持パルス数を増加させて輝度を向上させても良く、また、アドレス時間を増加させて安定動作をねらっても良い。
【００５９】
また、実施の形態２で説明したように、サブフィールド後半のブロック駆動において、維持動作をアドレス動作終了直後に実行することにより、安定に維持発光を行うことができる。このときは、高階調化に加え、安定動作も実現することができる。
【産業上の利用可能性】
【００６０】
以上のように本発明のプラズマディスプレイパネルの駆動方法によれば、サブフィールド数を増加させることにより、高輝度化、高階調化が可能なプラズマディスプレイパネルの駆動方法を提供することができ、有用である。
【図面の簡単な説明】
【００６１】
【図１】本発明の一実施の形態によるプラズマディスプレイパネルの駆動方法により駆動されるプラズマディスプレイパネルの概略構成を示す断面斜視図
【図２】図１における放電セルの概略構成を模式的に示す断面図
【図３】本発明の一実施の形態によるプラズマディスプレイパネルの駆動方法を行う駆動装置の概略構成を示すブロック図
【図４】本発明の一実施の形態によるプラズマディスプレイパネルの駆動方法を説明するためのタイミングチャート
【図５】同じく、本発明の一実施の形態によるプラズマディスプレイパネルの駆動方法を説明するためのタイミングチャート
【図６】同じく、本発明の一実施の形態によるプラズマディスプレイパネルの駆動方法を説明するためのタイミングチャート
【図７】同じく、本発明の一実施の形態によるプラズマディスプレイパネルの駆動方法を説明するためのタイミングチャート
【図８】同じく、本発明の一実施の形態によるプラズマディスプレイパネルの駆動方法を説明するためのタイミングチャート
【図９】同じく、本発明の一実施の形態によるプラズマディスプレイパネルの駆動方法を説明するためのタイミングチャート
【符号の説明】
【００６２】
１  プラズマディスプレイパネル（ＰＤＰ）
４  スキャン電極
５  サステイン電極
６  行電極
１１  アドレス電極（列電極）
１６  放電セル
【図１】
2005300956.tif 000003
【図２】
2005300956.tif 000004
【図３】
2005300956.tif 000005
【図４】
2005300956.tif 000006
【図５】
2005300956.tif 000007
【図６】
2005300956.tif 000008
【図７】
2005300956.tif 000009
【図８】
2005300956.tif 000010
【図９】
2005300956.tif 000011